(57)【要約】【課題】ユーザの操作履歴や装置の動作状況からユーザの生活パターンや嗜好などを判別し、ユーザにとって有効的な機能を表示し、確認後、続けて機能設定できるようにする。【解決手段】リモコン送信機１で操作するユーザの操作を操作記録部６で記憶し、そのユーザの操作履歴と、操作管理部７に格納された操作方法の基準データとを比較する。操作管理部７に格納された基準データは、ユーザの生活パターンや操作の傾向、嗜好などを判別するためのデータが格納され、ユーザが操作する時間帯や操作回数などに応じて、例えば「タイマ機能」「スリープ機能」「省電力機能」などの案内情報画面とその設定方法を案内するための操作ガイド情報画面を表示し、操作ガイド情報に従って機能の設定が可能となる。【選択図】図１
2008113135.tif 000002
【特許請求の範囲】
【請求項１】
多数の機能を備えた電子機器と、表示手段と、前記電子機器の動作状況及びユーザの操作履歴を記憶する記録部と、前記電子機器に備えた各種の機能を制御する制御部とを少なくとも備え、前記電子機器の動作状況及びユーザの操作履歴に応じて前記電子機器に備えた各種の機能のうち何れかの機能を案内する案内情報とともに、その案内情報を参照して操作手順を案内するための操作ガイド情報を表示し、操作ガイドに従って機能設定を可能とすることを特徴とする操作ガイド方法。
【請求項２】
前記電子機器が少なくともタイマ機能、スリープ機能、省電力機能などを備えたオーディオビジュアル機器であり、前記記録部で記憶したオーディオビジュアル機器のオン又はオフした時間帯や主電源のオン・オフあるいは外部信号がない状態でのオン動作回数に応じて前記各種の機能のうち最適な機能を案内する案内情報とともに、その案内情報を参照して操作手順を案内するための操作ガイド情報を表示し、操作ガイドに従って機能設定を可能とすることを特徴とする請求項１記載の操作ガイド方法。
【発明の詳細な説明】
【技術分野】
【０００１】
本発明は、電子機器、特にテレビジョン、ＶＴＲ、ＤＶＤ等のオーディオビジュアル機器に備えた各種機能をユーザの操作履歴や機器の動作状況に応じて、最適な機能を案内する操作ガイド方法に関する。
【背景技術】
【０００２】
近年、例えばテレビジョン、ＶＴＲ、ＤＶＤ等のオーディオビジュアル機器の機能は多様化し、その操作は複雑になってきており、こうした多様化した機能をユーザに簡単に理解してもらえるように表示画面に操作ガイドを表示する方法が知られている。
【０００３】
例えば、特許文献１では、１つの機能に対して複数の入力手順を用意し、例えば、キー操作に慣れたユーザと不慣れなユーザとで案内情報を参照して制御情報を入力する入力手順と、案内情報を参照しない入力手順とのいずれかを選択することができる入力方法及び入力装置が提案されている。
【０００４】
また、特許文献２には、ユーザが操作を行う場合において、操作履歴部でユーザの操作履歴を蓄積するとともに、ユーザ自身が行いたい一連の操作手順を操作手順記憶部によって文字および絵を用いて蓄え、ユーザの操作によって得られた情報からユーザの習熟レベルを判断し、操作手順管理部から出力される操作手順を表示画面に出力するように構成したインタフェース制御装置が提案されている。
【０００５】
【特許文献１】特開平１０−４９９３１号公報
【特許文献２】特開平７−１４６７４２号公報
【発明の開示】
【発明が解決しようとする課題】
【０００６】
しかしながら、特許文献１に示す入力方法では、最初の操作手順を全く知らない不慣れなユーザと一度操作手順を理解してしまったユーザとで操作手順を変えることで、不慣れなユーザには詳細な操作手順を示し、ある程度、操作に慣れたユーザには簡易な操作手順を示すことで、設定時間を短縮化して設定が行うことができるが、操作手順を表示させるためにはユーザがリモコン装置の操作案内キーを操作する必要があるため、チャンネル切り換え、音量調節といった必要最小限の操作しか行わないユーザは、操作案内キーも操作しない可能性があり、装置が持つ便利な機能をユーザに知らせることができず、結局のところ、便利な機能が活かせない、といった虞れがある。これに対して特許文献２で示すインタフェース制御装置は、操作の履歴を蓄積し、その操作履歴からユーザが設定しようとしている一連の動作の内容を推定して操作手順を表示することができるが、特許文献２では、例えば、予約録画といったある特定の操作を対象として表示するものであり、操作の蓄積によって、ユーザの生活パターンや嗜好、装置の動作状況などに応じてユーザにとって有効的な機能を表示することはできず、結局、ユーザが操作を行わない便利な機能については、前記特許文献１と同様、ユーザに案内することはできない、といった課題を有している。
【０００７】
本発明は上述した問題点に鑑みてなされたものであり、特定の操作に拘らず、ユーザの操作履歴や装置の動作状況からユーザの生活パターンや嗜好などを判別してユーザにとって有効的な機能を表示することができる操作ガイド方法を提供することを目的とする。
【課題を解決するための手段】
【０００８】
請求項１の操作ガイド方法は、多数の機能を備えた電子機器と、表示手段と、前記電子機器の動作状況及びユーザの操作履歴を記憶する記録部と、前記電子機器に備えた各種の機能を制御する制御部とを少なくとも備え、前記電子機器の動作状況及びユーザの操作履歴に応じて前記電子機器に備えた各種の機能のうち何れかの機能を案内する案内情報とともに、その案内情報を参照して操作手順を案内するための操作ガイド情報を表示し、操作ガイドに従って機能設定を可能とすることを特徴とする。
【０００９】
請求項１の構成により、ユーザの操作は、記憶部に記憶され、そのユーザの操作履歴と、予め設定された基準データとを比較する。例えば、基準データには、ユーザの生活パターンや操作の傾向、嗜好などを判別するためのデータが格納され、記録部に記憶されたユーザが行った操作方法と対比し、電子機器が備える各種機能のうちユーザの生活パターンや操作の傾向、嗜好に最も適した機能を案内するとともに、その操作手順を案内するための操作ガイド情報を表示部に表示させる。ユーザは操作ガイド情報に従って操作することで機能設定が可能となる。
【００１０】
請求項２の操作ガイド方法は、請求項１記載の操作ガイド方法において、前記電子機器が少なくともタイマ機能、スリープ機能、省電力機能などを備えたオーディオビジュアル機器であり、前記記録部で記憶したオーディオビジュアル機器のオン又はオフした時間帯や主電源のオン・オフあるいは外部信号がない状態でのオン動作回数に応じて前記各種の機能のうち最適な機能を案内する案内情報とともに、その案内情報を参照して操作手順を案内するための操作ガイド情報を表示し、操作ガイドに従って機能設定を可能とすることを特徴とする。
【００１１】
請求項２の構成により、例えば、記録部に記憶されたユーザの操作が日常的に同じ時間帯にオン又はオフすると判断した場合、案内情報として自動的にオン又はオフする「タイマ機能」を案内する。また、音声や映像信号が出力されていない状態で頻繁にテレビジョンを動作させている場合、その回数に応じて「スリープ機能」を案内する。また、ユーザが電源オフの際、ＡＣコードを抜く操作を頻繁に行っている場合には「省電力機能」を案内するとともに、その操作手順を案内するための操作ガイド情報を表示部に表示させる。ユーザは操作ガイド情報に従って操作することで機能設定が可能となる。
【発明の効果】
【００１２】
請求項１の操作ガイド方法によれば、多数の機能を備えた電子機器と、表示手段と、前記電子機器の動作状況及びユーザの操作履歴を記憶する記録部と、前記電子機器に備えた各種の機能を制御する制御部とを少なくとも備え、前記電子機器の動作状況及びユーザの操作履歴に応じて前記電子機器に備えた各種の機能のうち何れかの機能を案内する案内情報とともに、その案内情報を参照して操作手順を案内するための操作ガイド情報を表示するものであるから、ユーザが意識することなく、ユーザが行う操作によって、ユーザの生活パターンや操作の傾向、嗜好などを判断し、ユーザにとって最も便利かつ有効的な機能を表示することができ、また、引き続き、その機能を動作するための操作ガイド情報画面を表示することによって、複雑な操作マニュアルなどを確認するといった煩雑な作業を行うことなく、操作ガイド情報に従って操作することによって極めて簡単に機能設定を行うことができる。
【００１３】
請求項２の操作ガイド方法によれば、請求項１記載の操作ガイド方法において、前記電子機器が少なくともタイマ機能、スリープ機能、省電力機能などを備えたオーディオビジュアル機器であり、前記記録部で記憶したオーディオビジュアル機器のオン又はオフした時間帯や主電源のオン・オフあるいは外部信号がない状態でのオン動作回数に応じて前記各種の機能のうち最適な機能を案内する案内情報とともに、その案内情報を参照して操作手順を案内するための操作ガイド情報を表示するものであるから、ユーザが行う操作によって、ユーザの生活パターンや操作の傾向、嗜好などを判断し、案内情報としてオン又はオフするための「タイマ機能」や音声を序所に絞ってオフする「スリープ機能」あるいは「省電力機能」など、ユーザによって便利な機能を効果的に案内することができる。そして、ユーザはその操作ガイド情報に従って操作することによって極めて簡単に機能設定を行うことができる。
【発明を実施するための最良の形態】
【００１４】
以下、本発明の具体的実施例について、添付図面を参照しながら説明する。なお、以下の実施態様は、本発明を具体化する際の一形態であって、本発明をその範囲内に限定するためのものではない。
【００１５】
図１〜図４は本発明の一実施例を示すものであり、図１は本発明の一実施例におけるブロック図、図２はフローチャート、図３は設定画面を示す説明図、図４は案内情報及び操作ガイド情報の表示画面を示す説明図である。
【００１６】
図１に示すように、本実施例はオーディオビジュアル機器としてテレビジョンであり、１はリモコン送信機、２はリモコン送信機１からの信号を受信するリモコン受信機であり、このリモコン受信機２によりユーザが行うリモコン操作はマイクロコンピュータ３の操作受信部４に入力される。また、操作受信部４にはリモコン受信機２からの信号以外、主電源の情報などが入力される。すなわち、ユーザがＡＣコードをコンセントから抜いて主電源供給が停止した際、その情報が操作受信部４からの制御部５に出力され、制御部５よって電源回路５Ａを制御する。また、マイクロコンピュータ３は、操作記録部６、操作管理部７、機能説明表示部８を備えている。操作記録部６は、ユーザが操作するリモコン送信機１の信号をリモコン受信機２、操作受信部４、制御部５を経て記憶し、制御部５に格納されたプログラムに従って制御を行い、テレビジョンの各部の処理を行う。操作管理部７は、テレビジョンの操作方法に関する基準データが記憶され、操作記録部６に記憶されているユーザの操作履歴、例えばオン又はオフの時間帯やユーザがＡＣコードをコンセントから抜いているか否かあるいは、チューナ１０の未受信時でのオン動作回数や外部入力端子（Ｖｉｄｅｏ  Ｉｎ）１１に接続されるビデオやＤＶＤなどからの映像信号や音声信号が無い状態でのオン動作回数などが記憶される。操作管理部７は、不揮発性メモリ９（ＥＥＰ  ＲＯＭ）に記憶される操作方法基準データと、前記操作記録部６に記憶されているユーザの操作と操作方法基準データとが一致しているか否かを判別する。機能説明表示部８は、テレビジョンに備えた各種の機能、例えば、タイマ機能、スリープ機能、省電力機能など案内する案内情報と、操作手順を案内するための操作ガイド情報が記憶され、メニュー画面などにおいて、表示手段としてＬＣＤパネル１５に表示される。
【００１７】
また、チューナ１０、外部入力端子（Ｖｉｄｅｏ  Ｉｎ）１１からのアナログ信号はＡＤＣ１２（Ａｎａｉｏｇ  Ｄｉｇｉｔａｌ  Ｃｏｎｖａｔｅｒ）によりデジタル信号に変換され、スケーラーＩＣ１３により入力映像データの画素数を、ディスプレイの画素数に変換（スケーリング）し、ＬＶＤＳ(Ｌｏｗ  Ｖｏｌｔａｇｅ  Ｄｉｆｆｅｒｅｎｔｉａｌ  Ｓｉｇｎａｌｉｎｇ)１４によってＬＶＤＳ方式に変換してＬＣＤパネル１５に表示させる。
【００１８】
次に、図２のフローチャートを参照して動作を説明する。リモコン送信機１が押されるとリモコン受信機２で受信され、ユーザの操作方法が操作受信部４から制御部５に出力される（ステップＳ１）。このユーザが行った操作は、操作記録部６に記憶される。（ステップＳ２）ここで、予めユーザが図3に示す設定画面ａにて機能紹介設定を選択しているかを判別し（ステップＳ３）、操作記録部６に記憶されるユーザの操作履歴と、操作管理部７に格納された操作方法の基準データとを比較し（ステップＳ５）、その後の処理を行う。一方、機能紹介設定を選択していない場合、操作記録部６にユーザが行った操作方法が記憶されることなく、ユーザが操作した処理を実行する（ステップＳ４）。操作管理部７に格納された操作方法の基準データには、ユーザの生活パターンや操作の傾向、嗜好などを判別するためのデータが格納され、操作記録部６に記憶されたユーザが行った操作方法と対比することによって、テレビジョンが備える各種機能のうちユーザに最も適した機能を案内する案内情報と、その操作手順を案内するための操作ガイド情報をＬＣＤパネル１５に表示させる。すなわち、ユーザがほぼ毎日、一定時間帯にオン或いはオフした場合、その時間及び操作回数などが操作記録部６にカウントされ、操作管理部７には毎日、一定時間にオンした回数、例えば４回といった具体的なデータが格納されており、操作記録部６に記憶された操作履歴を参照し、ユーザがほぼ毎日、一定時間帯にオンした回数が４回となった時点で、例えば、ユーザは、日常的に同じ時間帯にテレビジョンをオン又はオフすると判断し、図４に示す案内情報画面ａ１と操作ガイド情報画面ａ２、ａ３を表示する（ステップＳ６）。図４に示す案内情報画面ａ１は具体的にオンタイマ機能を案内するものであり、操作記録部６に記憶されたユーザの操作履歴において、ほぼ毎朝、一定の時間帯、例えばＡＭ７：００前後にオンしていた場合、テレビジョンが備えた「オンタイマ機能」を案内するための案内情報画面ａ１を表示し、ユーザが「オンタイマ機能」を希望して決定ボタンを選択した場合、「オンタイマ機能」の説明とその設定方法を案内するための操作ガイド情報画面ａ２、ａ３を表示する。なお、図４は具体例として「オンタイマ機能」を例示したがユーザはほぼ毎日、決まった時間帯でオフしていた場合、「オフタイマ機能」を案内するための案内情報画面と操作ガイド情報画面を表示する。また、ユーザが電源オフの際、ＡＣコードを抜く操作を頻繁に行っている場合には「省電力機能」を案内する。また、チューナ１０や外部入力端子（Ｖｉｄｅｏ  Ｉｎ）１１からの映像信号が出力されていない状態でも頻繁にテレビジョンを動作させている場合、その回数に応じて「スリープ機能」を案内するための案内情報画面と操作ガイド情報画面を表示する。したがって、ユーザは操作ガイド情報画面に従って操作することによって、テレビジョンが備えた各種の機能を簡単に設定することができる（ステップＳ７）。なお、これらの案内情報画面と操作ガイド情報画面は操作管理部７に格納された操作方法の基準データと比較し、基準データより低い場合は表示されない（ステップＳ８）。具体例として例えば、判定基準としてユーザが操作した特定の操作回数÷ユーザが操作したトータルの操作回数として、その回数が例えば0.7回に達した場合、案内情報画面と操作ガイド情報画面を表示する。このように、ユーザが行う操作頻度に基づいて案内情報画面と操作ガイド情報画面を表示することによって、ユーザが意図しない案内情報画面ａ１が頻繁に表示されるといった虞れもない。そして、ユーザは案内情報に従ってユーザが希望する機能が設定される。
【００１９】
以上のように、本実施例によれば、ユーザが意識することなく、ユーザが行う操作によって、ユーザの生活パターンや操作の傾向、嗜好などを判断し、ユーザにとって最も便利かつ有効的な機能を表示することができ、また、引き続き、その機能を動作するための操作ガイド情報画面を表示することによって、複雑な操作マニュアルなどを確認するといった煩雑な作業を行うことなく、極めて簡単に機能設定を行うことができる。
【００２０】
以上、本発明の一実施例を詳述したが、本発明の前記実施例に限定されるものではなく、本発明の要旨の範囲内で種々の変形実施が可能である、例えば、前記実施例においてテレビジョン放送受信装置を例にあげて説明したが、表示手段が別体となったＳＴＢ（Ｓｅｔ  Ｔｏｐ  Ｂｏｘ）でも同様の効果をあげることができる。また、テレビジョン放送受信装置の基本的構成も前記実施例に限定されるものではなく、適宜選定すればよい。
【図面の簡単な説明】
【００２１】
【図１】本発明の一実施例を示すブロック図である。
【図２】同上、動作を示すフローチャートである。
【図３】同上、設定画面を示す説明図である。
【図４】同上、案内情報及び操作ガイド情報の表示画面を示す説明図である。
【００２２】
５  制御部
６  操作記録部
１５  ＬＣＤパネル（表示手段）
ａ１  案内情報画面
ａ２  操作ガイド情報画面
【図１】
2008113135.tif 000003
【図２】
2008113135.tif 000004
【図３】
2008113135.tif 000005
【図４】
2008113135.tif 000006